(57)【要約】【課題】袋状フィルタを視認することなく、袋状フィルタの交換時期をバラツキなく容易に認識することのできる濾過装置を提供する。【解決手段】編まれた伸縮性糸により伸縮自在に形成され、濾過対象液Ｇを濾過する袋状フィルタ２と、袋状フィルタの開口側端部を着脱自在に保持するフィルタサポート３と、フィルタサポートを袋状フィルタの開口側を上方にするとともに、その長さ方向を上下方向に向けて収容するフィルタケース４と、ばね部材１０３を備え、このばね部材のばね力によってフィルタケースを上下動可能に支持するケーススタンド５と、ケーススタンドに対するフィルタケースの上下方向の位置に基づいて袋状フィルタの交換時期を表示する交換表示器６とを備える。【選択図】      図２
2014100683.tif 000002
【特許請求の範囲】
【請求項１】
編まれた伸縮性糸により伸縮自在に形成され、濾過対象液を濾過する袋状フィルタと、
筒状基体およびこの筒状基体の外周面の軸方向一端部に形成された鍔部を具備し、前記袋状フィルタの開口側端部が少なくとも前記鍔部の外周面を覆うように着脱自在に取り付けられる取付リング、前記筒状基体が嵌合される嵌合孔、および前記鍔部を下方から支持する鍔支持面を具備するフィルタ取付板を備え、前記袋状フィルタの開口側端部を着脱自在に保持するフィルタサポートと、
上部が開口する有底筒状に形成されたケース本体、前記ケース本体に着脱自在に取り付けられ前記ケース本体の開口を覆う下部が開口する有底筒状に形成された上蓋、前記ケース本体の開口端と前記上蓋との間をシールする開口用ガスケット、濾過対象液を前記フィルタケースの内部に流入させる流入口、および前記袋状フィルタにより濾過した後の濾液を前記フィルタケースの外部に流出させる流出口を備え、前記フィルタサポートを前記袋状フィルタの開口側を上方にするとともに、その長さ方向を上下方向に向けて収容するフィルタケースと、
ばね部材を備え、このばね部材のばね力によって前記フィルタケースを上下動可能に支持するケーススタンドと、
前記ケーススタンドに対する前記フィルタケースの上下方向の位置に基づいて前記袋状フィルタの交換時期を表示する交換表示器と、
を有していることを特徴とする濾過装置。
【請求項２】
前記ケーススタンドは、
前記ケース本体より大径の筒状に形成されたスタンド本体と、少なくとも上部が前記スタンド本体に取り付けられた前記スタンド本体を下方から支持する複数のスタンド脚部と、
その長さ方向を上下方向に向けて前記スタンド本体の上面に立設されたリニアガイドと、一端が前記リニアガイドに沿って移動可能とされ、他端が前記ケース本体の外周面に取り付けられたスライダを具備する移動経路規制部材とを有しており、
前記ばね部材は、一端が前記ケース本体の下部に接続され他端が一端より上方において前記スタンド脚部に接続された引張りコイルばねである請求項１に記載の濾過装置。
【請求項３】
前記交換表示器は、前記フィルタケースおよび前記ケーススタンドの一方に設けられた指針と、他方に設けられた少なくとも前記袋状フィルタの内部に捕捉されて残留する固体の量が満杯状態に到達し交換時期となったことを示す目盛とを具備するインジケータである請求項１または２に記載の濾過装置。
【請求項４】
前記開口用ガスケットは、下方に開口する有底２重筒状に形成されており、その開口部分が前記ケース本体の開口端に装着されているとともに、その上面が前記上蓋に密接されるシール面とされており、さらに前記シール面は、平坦、あるいは径方向外側が上方に凸、あるいは内外方向の中間部分が凹に形成されている請求項１ないし３のいずれか１項に記載の濾過装置。
【請求項５】
前記流入口は、前記上蓋に設けられており、前記流出口は、前記ケース本体の下部に設けられている請求項１ないし４のいずれか１項に記載の濾過装置。
【請求項６】
前記流入口および前記流出口は、前記ケース本体の底部に設けられており、
前記ケース本体の内部には、下端が前記流入口に連通され、上端が前記フィルタ取付板より上方位置に配置され、前記流入口を介して前記フィルタケースの内部に供給した濾過対象液を前記袋状フィルタの開口より上方位置に誘導する筒状の内部配管が設けられており、
前記内部配管の途中には、濾過対象液が通過する複数の開口を具備するとともに、内部に凝集補助剤が収容されたカートリッジが着脱自在に取り付けられている請求項１ないし４のいずれか１項に記載の濾過装置。
【請求項７】
前記上蓋には、前記袋状フィルタの内部に捕捉されて残留する固体から液分を取り除く脱液を行う脱液用気体を供給する供給口が設けられており、
前記ケース本体の下部あるいは底部には、前記袋状フィルタの内部に捕捉されて残留する固体から取り除いた液分を前記フィルタケースの内部から外部に排出する排出口が設けられている請求項１ないし６のいずれか１項に記載の濾過装置。
【発明の詳細な説明】
【技術分野】
【０００１】
本発明は、濾過対象液を袋状フィルタにより濾過するのに好適な濾過装置に関する。
【背景技術】
【０００２】
従来、袋状フィルタ（バッグフィルタ）を用いて濾過対象液を濾過、すなわち、濾過対象液に含まれる所定の大きさ以上の固体を分離する工業用の濾過装置が知られている。この濾過装置は、例えば工作機械における加工部分の冷却、潤滑、洗浄などに循環使用されるクーラント、切削油、研削液、洗浄液などの濾過対象液に含まれる所定の大きさ以上の切り粉、研磨粉などの加工粉（加工屑）を濾過するのに用いられている（例えば、特許文献１参照）。
【０００３】
このような従来の濾過装置において、濾過対象液の濾過を行うと、袋状フィルタの内部に、濾過対象液から分離された固体が捕捉されて残留するとともに、袋状フィルタが目詰まりする。この場合、袋状フィルタの交換時期に関しては、一般的なフィルタの交換と同様に行われている。すなわち、フィルタの前後の濾過対象液の圧力を検出する２つの圧力計のいずれかの値や、両者の差圧によって目詰まりを検知して交換したり、濾過処理の時間が予め設定した時間を経過したときに目詰まりしたとして交換したりしている（例えば、特許文献２参照）。
【０００４】
ところで、従来の濾過装置においては、袋状フィルタが目詰まりするまでの期間である寿命（使用可能時間）が短く、しかも袋状フィルタの着脱に時間と労力を必要とし、袋状フィルタの着脱を作業者が容易に行うことができないという問題点が知られている。
【０００５】
そこで、本出願人は、伸縮性糸を編むことにより伸縮自在に形成された袋状フィルタを用いることで、目詰まりしにくく、初期の濾過状態を長期間に亘り保持、すなわち袋状フィルタの寿命を従来より長くでき、しかもフィルタケースとして、透明なプラスチックにより形成された筒状の内ケースと、内ケースを収納するための有底筒状に形成されたのぞき窓を有する外ケースとを有するケース本体を用いることで、袋状フィルタを外部から視認することにより袋状フィルタの交換時期を容易に認識することができる濾過装置を提案した（例えば、特許文献３参照）。
【先行技術文献】
【特許文献】
【０００６】
【特許文献１】特開２００３−１５４２１３号公報
【特許文献２】特開２００３−３２６４１３号公報
【特許文献３】特開２０１０−１８４１７０号公報
【発明の概要】
【発明が解決しようとする課題】
【０００７】
しかしながら、従来の濾過装置においては、袋状フィルタの内部を目視することはできないので、袋状フィルタの内部に溜まる固体の量を袋状フィルタの形状により推測して袋状フィルタの交換時期を判断しているため、作業者により交換時期が異なったり、作業者によっては十分使用可能である場合にも交換したりするなど、交換時期にバラツキが発生するという問題点があった。
【０００８】
そこで、袋状フィルタの交換時期をバラツキなく容易に認識することのできる濾過装置が求められている。
【０００９】
なお、従来の濾過装置においては、ケース本体を透明なプラスチックにより形成された筒状の内ケースと、のぞき窓を有する外ケースとにより２重構造とするので、構成が複雑となり、製造コストが高くなる。また、袋状フィルタの視認性を向上させるために外ケースをプラスチックにより形成した場合には、複数の袋状フィルタを用いて濾過対象液の流量（処理量）を大きくすると、耐圧性が不足することが考えられる。
【００１０】
したがって、袋状フィルタが外部から視認できない場合であっても、袋状フィルタの交換時期をバラツキなく、容易に認識することのできる濾過装置も求められている。
【００１１】
本発明はこのような点に鑑みてなされたものであり、袋状フィルタ自体を視認することなく、袋状フィルタの交換時期をバラツキなく容易に認識することのできる濾過装置を提供することを目的とする。
【課題を解決するための手段】
【００１２】
前述した目的を達成するため、特許請求の範囲の請求項１に記載の本発明の濾過装置の特徴は、編まれた伸縮性糸により伸縮自在に形成され、濾過対象液を濾過する袋状フィルタと、筒状基体およびこの筒状基体の外周面の軸方向一端部に形成された鍔部を具備し、前記袋状フィルタの開口側端部が少なくとも前記鍔部の外周面を覆うように着脱自在に取り付けられる取付リング、前記筒状基体が嵌合される嵌合孔、および前記鍔部を下方から支持する鍔支持面を具備するフィルタ取付板を備え、前記袋状フィルタの開口側端部を着脱自在に保持するフィルタサポートと、上部が開口する有底筒状に形成されたケース本体、前記ケース本体に着脱自在に取り付けられ前記ケース本体の開口を覆う下部が開口する有底筒状に形成された上蓋、前記ケース本体の開口端と前記上蓋との間をシールする開口用ガスケット、濾過対象液を前記フィルタケースの内部に流入させる流入口、および前記袋状フィルタにより濾過した後の濾液を前記フィルタケースの外部に流出させる流出口を備え、前記フィルタサポートを前記袋状フィルタの開口側を上方にするとともに、その長さ方向を上下方向に向けて収容するフィルタケースと、ばね部材を備え、このばね部材のばね力によって前記フィルタケースを上下動可能に支持するケーススタンドと、前記ケーススタンドに対する前記フィルタケースの上下方向の位置に基づいて前記袋状フィルタの交換時期を表示する交換表示器とを有している点にある。
【００１３】
そして、このような構成を採用したことにより、流入口からフィルタケースの内部に流入した濾過対象液は、袋状フィルタを通過するが、この時、濾過対象液に含まれる所定の大きさ以上の固体は、袋状フィルタの編み目により捕捉されることで分離され、袋状フィルタの内部に残留する。また、袋状フィルタにより濾過された濾液は、流出口から流出する。そして、ケーススタンドは、袋状フィルタの内部に残留する固体の量が増加すると、フィルタケースの重量が増加するので、フィルタケースの重量の増加にともないケーススタンドに対するフィルタケースの上下方向の位置を下降することができる。さらに、交換表示器は、袋状フィルタの内部に残留する固体の量が袋状フィルタの収容量の上限に到達したことをフィルタケースの上下方向の位置に基づいて表示することができる。したがって、作業者が交換表示器の表示を視認するという簡便な方法で、袋状フィルタの交換時期を容易に認識することができる。つまり、袋状フィルタ自体を視認することなく、袋状フィルタの交換時期をバラツキなく容易に認識することができる。その結果、作業者による使い勝手を向上することができる。
【００１４】
請求項２に記載の本発明の濾過装置の特徴は、請求項１において、前記ケーススタンドは、前記ケース本体より大径の筒状に形成されたスタンド本体と、少なくとも上部が前記スタンド本体に取り付けられた前記スタンド本体を下方から支持する複数のスタンド脚部と、その長さ方向を上下方向に向けて前記スタンド本体の上面に立設されたリニアガイドと、一端が前記リニアガイドに沿って移動可能とされ、他端が前記ケース本体の外周面に取り付けられたスライダを具備する移動経路規制部材とを有しており、前記ばね部材は、一端が前記ケース本体の下部に接続され他端が一端より上方において前記スタンド脚部に接続された引張りコイルばねである点にある。そして、このような構成を採用したことにより、スタンド本体は、その内部にフィルタケースを配置することができ、スタンド脚部は、スタンド本体を下方から支持することができるとともに、フィルタケースの下部にフィルタケースの上下動に必要な空間を容易に設けることができる。また、リニアガイドおよびスライダは、ケーススタンドに対するフィルタケースの移動方向を上下方向に規制することができる。さらに、引張りばねは、フィルタケースを上下動可能に支持することができるとともに、そのばね荷重により、フィルタケースの移動範囲とインジケータによる表示範囲とを容易に関連づけることができる。したがって、フィルタケースを容易かつ確実に上下動可能に支持することができるとともに、ケーススタンドに対するフィルタケースの上下方向の位置に基づいて袋状フィルタの交換時期を容易に表示することができる。
【００１５】
請求項３に記載の本発明の濾過装置の特徴は、請求項１または２において、前記交換表示器は、前記フィルタケースおよび前記ケーススタンドの一方に設けられた指針と、他方に設けられた少なくとも前記袋状フィルタの内部に捕捉されて残留する固体の量が満杯状態に到達し交換時期となったことを示す目盛とを具備するインジケータである点にある。そして、このような構成を採用したことにより、インジケータの指針が指示する目盛を読むという簡便な動作により袋状フィルタの交換の要否を容易に認識することができる。
【００１６】
請求項４に記載の本発明の濾過装置の特徴は、請求項１ないし３のいずれか１項において、前記開口用ガスケットは、下方に開口する有底２重筒状に形成されており、その開口部分が前記ケース本体の開口端に装着されているとともに、その上面が前記上蓋に密接されるシール面とされており、さらに前記シール面は、平坦、あるいは径方向外側が上方に凸、あるいは内外方向の中間部分が凹に形成されている点にある。そして、このような構成を採用したことにより、平坦なシール面を備えたものは、上蓋とケース本体の開口端との間をシールすることができるし、径方向外側が上方に凸のシール面を備えたものは、濾過対象液をフィルタケースの内部に吸引する際のシールに有効であるし、内外方向の中間部分が凹に形成されているシール面を備えたものは、濾過対象液をフィルタケースの内部に吸引あるいは圧送する際のシールに有効である。
【００１７】
請求項５に記載の本発明の濾過装置の特徴は、請求項１ないし４のいずれか１項において、前記流入口は、前記上蓋に設けられており、前記流出口は、前記ケース本体の下部に設けられている点にある。そして、このような構成を採用したことにより、濾過対象液は、フィルタケースの内部を上方から下方に向かって流動するので、濾過対象液の流動性を向上できる。
【００１８】
請求項６に記載の本発明の濾過装置の特徴は、請求項１ないし４のいずれか１項において、前記流入口および前記流出口は、前記ケース本体の底部に設けられており、前記ケース本体の内部には、下端が前記流入口に連通され、上端が前記フィルタ取付板より上方位置に配置され、前記流入口を介して前記フィルタケースの内部に供給した濾過対象液を前記袋状フィルタの開口より上方位置に誘導する筒状の内部配管が設けられており、前記内部配管の途中には、濾過対象液が通過する複数の開口を具備するとともに、内部に凝集補助剤が収容されたカートリッジが着脱自在に取り付けられている点にある。そして、このような構成を採用したことにより、内部配管は、フィルタケースの内部における濾過対象液の流路を濾液の流路と確実に区分できる。また、カートリッジは、その内部に凝集補助剤を確実に収容することができるし、濾過対象液がその内部を通過する際に、凝集補助剤の作用により、濾過対象液に含まれる単独では袋状フィルタにより捕捉できないサイズを含む固体を寄り集めて大きな塊にしてから袋状フィルタによる濾過に供することができるので、袋状フィルタによる濾過効率を向上することができるとともに、濾液の浄化度合いを高くすることができる。
【００１９】
請求項７に記載の本発明の濾過装置の特徴は、請求項１ないし６のいずれか１項において、前記上蓋には、前記袋状フィルタの内部に捕捉されて残留する固体から液分を取り除く脱液を行う脱液用気体を供給する供給口が設けられており、前記ケース本体の下部あるいは底部には、前記袋状フィルタの内部に捕捉されて残留する固体から取り除いた液分を前記フィルタケースの内部から外部に排出する排出口が設けられている点にある。そして、このような構成を採用したことにより、供給口から脱液用気体をフィルタケースの内部に供給するという簡便な方法で前記袋状フィルタの内部に捕捉されて残留する固体から液分を容易に取り除くことができるので、袋状フィルタの交換時に、袋状フィルタから液分が滴下して周囲にこぼれるのを防止することができる。その結果、作業者による使い勝手の向上を図ることができる。
【発明の効果】
【００２０】
本発明に係る濾過装置によれば、袋状フィルタの内部に残留する固体の量が増加すると、フィルタケースの重量が増加し、このフィルタケースの重量の増加にともないケーススタンドに対するフィルタケースの上下方向の位置が下降するので、袋状フィルタの内部に残留する固体の量が袋状フィルタの収容量の上限に到達したことを交換表示器により表示することができる。その結果、袋状フィルタを目視することなく、袋状フィルタの交換時期をバラツキなく容易に認識することができるなどの優れた効果を奏する。
【図面の簡単な説明】
【００２１】
【図１】本発明に係る濾過装置の第１実施形態の要部を示す概略半断面図
【図２】図１の一部省略側面図
【図３】図１の一部省略平面図
【図４】図１のＡ−Ａ線に沿った一部省略断面図
【図５】図１のＢ−Ｂ線に沿った一部省略断面図
【図６】図１の取付リング近傍を示す部分拡大断面図
【図７】図１のフィルタ取付板の要部を示すものであり、（ａ）は平面図、（ｂ）は（ａ）のａ−ａ線に沿った拡大断面図、（ｃ）は（ａ）のｂ−ｂ線に沿った断面を９０度回転させて示す拡大断面図
【図８】図１の開口用ガスケットを示すものであり、（ａ）はシール面を平坦とする構成の要部を示す拡大断面図、（ｂ）はシール面を径方向外側が上方に凸とする構成の要部を示す拡大断面図、（ｃ）はシール面の内外方向の中間部分を凹とする構成の要部を示す拡大断面図
【図９】図１の濾過装置の設置例の要部を簡略化して示すものであり、（ａ）は初期の濾過状態を示す模式図、（ｂ）は交換表示器の表示状態を示す模式図
【図１０】図１の濾過装置の図９に続く濾過状態を簡略化して示すものであり、（ａ）は袋状フィルタが交換時期に到達した際の濾過状態を示す模式図、（ｂ）は交換表示器の表示状態を示す模式図
【図１１】本発明に係る濾過装置の第２実施形態の要部を初期の濾過状態とともに簡略化して示す模式図
【図１２】図１１の濾過装置の袋状フィルタが交換時期に到達した際の濾過状態を簡略化して示す模式図
【図１３】本発明に係る濾過装置の第３実施形態の要部を初期の濾過状態とともに簡略化して示す模式図
【発明を実施するための形態】
【００２２】
以下、本発明を図面に示す実施形態により説明する。
【００２３】
（第１実施形態）
図１から図８は、本発明に係る濾過装置の第１実施形態を示すものである。
【００２４】
本実施形態の濾過装置は、工作機械において循環使用されるクーラントの濾過に用いられるものを例示している。また、本実施形態の濾過装置は、フィルタケースの内部に複数の袋状フィルタを配設した大流量のものを例示している。
【００２５】
図１から図３に示すように、本実施形態の濾過装置１は、袋状フィルタ２と、フィルタサポート３と、フィルタケース４と、ケーススタンド５と、交換表示器６とを有している。
【００２６】
前記袋状フィルタ２は、濾過対象液としての工作機械における加工部分の冷却に使用されたクーラントである原液Ｇ（図９参照）を濾過、すなわち原液Ｇに含まれる所定の大きさ以上の固体としての加工粉Ｋ（図９参照）を分離するための濾材となるものである。この袋状フィルタ２は、一端が開口する有底筒状に形成されているとともに、編まれた伸縮性糸により伸縮自在に形成されている。この伸縮性糸は、弾性ソックスや弾性ストッキングなどに用いられるものであり、弾性繊維（エラストマー繊維）に合成繊維を組み合わせて形成されたものである。例えば、弾性繊維としてのポリウレタン弾性繊維（スパンデックス）の糸に、ポリアミド（ナイロン）、ポリエステルなどの合成繊維のフィラメント数の多いハイマルチタイプの糸（１フィラメントが１．４５デニールより細い糸）をカバーリングしたシングルカバーリングヤーン（ＳＣＹ２０  ＷＮ  ７０／４８）を挙げることができる。また、ポリウレタン弾性繊維の糸に、２本の合成繊維の糸をカバーリングしたダブルカバーリングヤーン（ＤＣＹ）であってもよい。なお、ポリウレタン弾性繊維のかわりにポリエーテルエステル弾性繊維を用いてもよい。また、ポリウレタン弾性繊維の糸あるいはポリエーテルエステル弾性繊維の糸を合成繊維の糸で被覆することにより、加工粉Ｋによって編み目の破損や損傷が短時間で発生するのを防止することができるようになっている。さらに、伸縮性糸は、靴下編み機であるハイゲージ丸編み機（４インチ：４００針）などにより筒状の編地とされ、この編地により袋状フィルタ２が形成されている。なお、編地は、天笠（無地）編み、針抜き編みなどを単独もしくは組み合わせて編まれている。
【００２７】
前記フィルタサポート３は、袋状フィルタ２の開口側端部を着脱自在に保持するものであり、本実施形態においては６つの袋状フィルタ２を相互に平行に保持することができるようになっている。なお、保持する袋状フィルタ２の数としては、原液Ｇの流量（処理量）などの装置の仕様により、選択することができる。
【００２８】
本実施形態のフィルタサポート３は、取付リング７およびフィルタ取付板８を有している。
【００２９】
前記取付リング７は、袋状フィルタ２の開口側端部が装着されるものであり、プラスチックあるいは金属により形成されている。この取付リング７は、図６に詳示するように、円筒状に形成された筒状基体１０と、この筒状基体１０の外周面の上端部に、径方向外側に向かって延出形成された環状の鍔部１１とを有しており、全体として円筒状に形成されている。この筒状基体１０は、その内径寸法が袋状フィルタ２の自由状態における外径寸法より大径、例えば８０ｍｍ程度に形成されている。また、筒状基体１０の外周面の下端部近傍には、袋状フィルタ２の開口側端縁が装着される装着用環状凹溝１２が周方向に沿って形成されている。そして、袋状フィルタ２に取付リング７を、あるいは取付リング７に袋状フィルタ２を取り付けたフィルタ取付状態においては、袋状フィルタ２の開口側端部が拡開されて鍔部１１を覆うように外側に折り返されて着脱自在に取り付けられている。なお、フィルタ取付状態としては、少なくとも鍔部１１の外周面が袋状フィルタ２により覆われていればよい。
【００３０】
前記フィルタ取付板８は、フィルタ取付状態とされた取付リング７が取り付けられるものであり、プラスチックあるいは金属により形成されている。このフィルタ取付板８は、図７に詳示するように、例えば全体として直径寸法が３７５ｍｍ程度の円板状に形成されている。このフィルタ取付板８の外周側には、フィルタ取付板８を厚さ方向に貫通する６つの嵌合孔１５が形成されている。これらの嵌合孔１５は、取付リング７の筒状基体１０が上方から嵌合されるものであり、フィルタ取付板８の軸線（中心線）から等距離位置において隣位する２つの嵌合孔１５の中心間距離（間隔）が等しくなるように等角度分配置されており、６つの袋状フィルタ２を相互に平行に配置することができるようになっている。なお、嵌合孔１５の配置としては、縦横に整列配置してもよく、種々の配列から選択することができる。
【００３１】
前記フィルタ取付板８の上面のうち、少なくとも嵌合孔１５の周囲には、袋状フィルタ２の鍔部１１を下方から支持する平坦な鍔支持面１６が凹設されている。この鍔支持面１６の上面からの深さ寸法は、鍔部１１の厚さ寸法とほぼ等しく形成されている。さらに、図７（ａ）の左右に示す相互に対向する２つの嵌合孔１５の周囲には、鍔支持面１６から同一平面をなすように延出された設置面１７がその径方向外側に位置する外周縁に連通するように凹設されており、これらの設置面１７のそれぞれには、フィルタケース４に対するフィルタサポート３の着脱に用いる取っ手１８がその先端部を径方向外側に向けて起倒自在に取り付けられている。これらの取っ手１８は、倒した状態ではフィルタ取付板８の上面から突出せず、起こした状態では先端がフィルタ取付板８の上面から上方を向くように突出するように形成されている。
【００３２】
前記フィルタ取付板８の軸線位置と、フィルタ取付板８の外周側で嵌合孔１５の間の６箇所との総計７箇所には、フィルタサポート３を一体にするための連結ロッド３０（図１、図４、図５）の上端部分に形成された図示しない上ねじ部が挿通されるロッド挿通孔１９が形成されている。また、図７の上下に示す２つのロッド挿通孔１９は、鍔支持面１６および設置面１７を含む仮想平面に設けられたざぐり面２０に形成されており、フィルタ取付板８を上下から挟むように連結ロッド３０に螺着されるナット３１ａ、３１ｂ（図１）のうちのざぐり面２０側に位置するナット３１ａがフィルタ取付板８の上面より上方に突出しないようにされている。なお、連結ロッド３０としては、フィルタ取付板８および誘導ガイド２３をそれぞれの軸線位置で連結する１本の連結ロッド３０と、フィルタ取付板８および誘導ガイド２３をそれぞれの外周側で連結する６本の連結ロッド３０との総計７本の連結ロッド３０が用いられている。なお、ナット３１ａ、３１ｂのうちの少なくともフィルタ取付板８の上面側に位置するナット３１ａとフィルタ取付板８の上面との間には、ゴム、金属、あるいはプラスチック製の平座金や、シール座金などを用いることができるが、原液Ｇが濾液Ｅに混ざるのをより確実に防止することができるという意味で、ゴム製の平座金、あるいはシール座金を用いることが好ましい。
【００３３】
図１に示すように、フィルタ取付板８の上面には、誘導ガイド２３が配置されている。この誘導ガイド２３は、後述する流入口８２を介してフィルタケース４の内部に流入する原液Ｇを各袋状フィルタ２の開口に誘導するものであり、プラスチックあるいは金属などにより形成されている。この誘導ガイド２３は、フィルタ取付板８より若干小径の円板状に形成されたガイド基板２４を有している。このガイド基板２４の外周側には、図４に示すように、６つの円筒状に形成されたガイド筒部２５が下方に向けて突設されており、ガイド基板２４の上下が連通されている。また、各ガイド筒部２５は、各嵌合孔１５と同様に、ガイド基板２４の軸線から等距離位置において隣位する２つのガイド筒部２５の中心間距離が等しくなるように等角度配置されているとともに、ガイド基板２４の軸線とガイド筒部２５の軸線との距離（半径）が、フィルタ取付板８の軸線と嵌合孔１５の軸線との距離（半径）とほぼ等しくなるように形成されている。また、ガイド筒部２５の外径寸法は、取付リング７の内径寸法より小さく形成されており、ガイド筒部２５は、取付リング７に取り付けられた各袋状フィルタ２の開口に挿入されている。さらに、ガイド基板２４の外周には、図１に示すように、円筒状の外周筒部２６が上方に向けて突設されており、この外周筒部２６の先端（上端）には、径方向内側に張り出した内向きフランジ状をなす環状の開口リング部２７が設けられている。
【００３４】
図４に示すように、誘導ガイド２３の外周側には、６本の連結ロッド３０の上端部分に形成された図示しない上ねじ部が挿通されており、誘導ガイド２３の上で上ねじ部に螺着されたナット３１ｃにより、フィルタ取付板８に誘導ガイド２３が取り付けられている。そして、図１に示すように、７本の連結ロッド３０のうち、軸線位置に配置された連結ロッド３０の上端部には、上端が小径で下端が大径の筒状に形成されたロッドカバー３３の内孔が挿通されている。このロッドカバー３３の上端面には、連結ロッド３０の上端に螺着された袋ナット３４の下面が当接されており、ロッドカバー３３の下端面が図示しない座金を介してガイド基板２４の上面に当接されている。この座金としては、ゴム、金属、あるいはプラスチック製の平座金や、シール座金などを用いることができるが、原液Ｇが濾液Ｅに混ざるのをより確実に防止することができるという意味で、ゴム製の平座がね、あるいはシール座金を用いることが好ましい。また、ロッドカバー３３の最大外径寸法である下端部の外径寸法は、ロッドカバー３３がガイド筒部２５に干渉しないように、相互に対向する２つのガイド筒部２５の相互間の距離よりも小さく形成されている。なお、ナット３１ｃは、設計コンセプトなどの必要に応じて設ければよい。例えば、ナット３１ｃを設けない構成とすることにより、袋ナット３４を連結ロッド３０から取り外すことで、フィルタサポート３のフィルタ取付板８から誘導ガイド２３をより容易に取り外すことができることになる。
【００３５】
図６に詳示するように、取付リング７の筒状基体１０の外周面とフィルタ取付板８の嵌合孔１５との間には、金属あるいはプラスチックにより円筒状に形成された膨張規制筒３６の上端部が挿入されている。この膨張規制筒３６は、フィルタ取付状態における袋状フィルタ２の取付リング７の下方に露出した部分を外側から囲むことにより、袋状フィルタ２の内部に残留する加工粉Ｋの量の増加にともなう袋状フィルタ２の径方向外側への膨張を規制するものである。勿論、袋状フィルタ２同士が接触するのを防止するものでもある。この膨張規制筒３６の外周面には、図１に示すように、袋状フィルタ２で濾過した後の濾液Ｅ（図９参照）を通過させるための内外を連通する複数の通過開口３７（図１に、一部のみ図示）が形成されている。
【００３６】
図６に示すように、膨張規制筒３６の内径寸法は、取付リング７の筒状基体１０の外周面に膨張規制筒３６の内周面を嵌合できるように、筒状基体１０の外径寸法より若干大きく形成されている。また、膨張規制筒３６の外径寸法は、取付リング７の鍔部１１の外径寸法より小さく、かつ嵌合孔１５の内径寸法より小さく形成されており、膨張規制筒３６の一端（上端）を取付リング７の筒状基体１０に嵌合した状態で、鍔部１１の外周部分が膨張規制筒３６の外周面から径方向外側に突出して鍔支持面１６により下方から支持されるように形成されている。さらに、膨張規制筒３６の長さ寸法は、袋状フィルタ２の自由状態における長さ寸法より長く、例えば１．５倍程度、本実施形態においては５６０ｍｍ程度に形成されている。なお、通過開口３７の形状としては、扇形、矩形、円形、多角形などの各種の形状を用いることができる。また、通過開口３７の配列としては、水玉模様、市松模様、格子模様、千鳥格子などの各種の配列を用いることができる。また、膨張規制筒３６としては、円筒状に形成した金網やプラスチック網を用いることができる。
【００３７】
図１および図５に示すように、膨張規制筒３６の下端面は、フィルタ受け板３９の上面により下方から支持されている。このフィルタ受け板３９は、プラスチックあるいは金属により円板状に形成されており、その上面の外周側には、６つの円筒状に形成された下受け筒部４０が設けられている。これらの下受け筒４０は、その先端が上方に向けて突設されており、袋状フィルタ２の内部に残留する加工粉Ｋの量の増加にともなう袋状フィルタ２の下方への伸長により下降した底部を下方から受け止めることができるようになっている。これらの下受け筒部４０は、嵌合孔１５と同様に、フィルタ受け板３９の軸線から等距離位置において隣位する２つの下受け筒部４０の中心間距離が等しくなるように等角度配置されているとともに、フィルタ受け板３９の軸線と下受け筒部４０の軸線との距離が、フィルタ取付板８の軸線と嵌合孔１５の軸線との距離とほぼ等しくなるように形成されている。また、フィルタ受け板３９には、その厚さ方向に貫通する多数の貫通孔４１が形成されており、袋状フィルタ２で濾過した濾液Ｅを下方に流動させることができるようになっている。また、フィルタ受け板３９の軸心には、連結ロッド３０の下端部分に形成された図示しない下ねじ部が挿通されており、フィルタ受け板３９を上下方向から挟むように下ねじ部に螺着されたナット３１ｄ、３１ｅにより、フィルタ受け板３９が連結ロッド３０の下部に着脱自在に取り付けられているとともに、膨張規制筒３６がフィルタ受け板３９の上面に保持されている。
【００３８】
したがって、本実施形態のフィルタサポート３は、袋状フィルタ２、取付リング７、フィルタ取付板８、誘導ガイド２３、ロッドカバー３３、膨張規制筒３６、フィルタ受け板３９が連結ロッド３０により一体に組み立てられており、連結ロッド３０からナット３１ａ、３１ｂ、３１ｃ、３１ｄ、３１ｅを取り外すことにより、各部を分解できるようになっている。すなわちフィルタサポート３は、袋状フィルタ２の着脱をおこなうため、組立・分解可能に形成されている。また、連結ロッド３０から袋ナット３４、およびナット３１ｃを取り外すことにより、フィルタサポート３からロッドカバー３３および誘導ガイド２３を取り外すことができるようになっている。
【００３９】
なお、フィルタサポート３は、ロッドカバー３３および誘導ガイド２３を取り外した状態で、露出した取っ手１８を起こし、この取っ手１８にロープを係止してホイストやクレーンで吊り上げたり、取っ手１８を掴んで人力で持ち上げたりすることができるようになっている。
【００４０】
また、フィルタサポート３としては、袋状フィルタ２の数などに応じて、膨張規制筒３６を設けない構成としてもよい。この場合、連結ロッド３０の代わりに誘導ガイド２３とフィルタ取付板８をねじ止めするとともに、フィルタ受け板３９を後述する４５の底部に配置するとよい。この時、フィルタ受け板３９には、下受け筒部４０があってもなくてもどちらでもよい。さらに、フィルタサポート３としては、袋状フィルタ２の開口端側を取付リング７とフィルタ取付板８との間で挟持する構成としてもよい。
【００４１】
前記フィルタケース４は、フィルタサポート３を袋状フィルタ２の開口側を上方にするとともに、その長さ方向を上下方向に向けて収容するものであり、図１および図２に示すように、ケース本体４５および上蓋４６を有している。
【００４２】
前記ケース本体４５は、フィルタサポート３が挿脱自在に収容されるものであり、プラスチックあるいは金属により上部が開口する有底円筒状に形成されている。このケース本体４５は、濾液Ｅの流路を形成するために、少なくともフィルタサポート３の外周を囲繞するように、フィルタサポート３の外径寸法より大径、例えば内径寸法が４００ｍｍ程度の円筒状に形成された本体胴部４８と、この本体胴部４８の下端から予め設定された間隔、例えば５５ｍｍ程度上方位置に配置された円板状の本体底壁部４９とを有している。なお、ケース本体４５の形状としては、筒状であればよく、断面が四角形や多角形の角筒状とすることができる。勿論、ケース本体４５の形状に合わせて、フィルタ取付板８などの対応する部材の外周形状を設定することになる。また、ケース本体４５をプラスチックで形成する場合、プラスチックは、透明なものであってもよい。
【００４３】
前記本体胴部４８の内面には、本体胴部４８の上部開口端から予め設定された間隔、例えば５０ｍｍ程度の間隔をおいて環状に形成された支持リング５１が接合（溶着あるいは接着など、以下、同じ）などにより取り付けられている。この支持リング５１の内孔は、フィルタ取付板８の外形寸法より小径で、かつ各膨張規制筒３６の外側を結ぶ仮想円の直径より大径にされている。また、支持リング５１の上面の内孔側には、図６に詳示するように、内孔に連通する断面矩形状のサポート装着溝５２が形成されており、このサポート装着溝５２には、フィルタ取付板８の外周部分が着脱自在に装着され、フィルタ取付板８を下方から支持している。また、サポート装着溝５２の底面とこれに対向するフィルタ取付板８の下面との間には、サポート装着溝５２とフィルタ取付板８との間をシール、すなわちサポート装着溝５２とフィルタ取付板８との間からケース本体４５の内部においてサポート装着溝５２より下方に原液Ｇが流入するのを防止するための固定用シールである内部ガスケット５４が配置されている。本実施形態の内部ガスケット５４としては、ＮＢＲなどの合成ゴムにより環状に形成されたゴムシートガスケットが用いられている。
【００４４】
前記本体胴部４８のサポート装着部より上方位置には、３つの係止ピン５６（図１に２つのみ図示）がその先端を径方向外側に向けて取り付けられている。これら３つの係止ピン５６は、本体胴部４８の軸線から等距離位置において隣位する２つの係止ピン５６の中心間距離が等しくなるように等角度配置されている。
【００４５】
前記本体胴部４８の上端面には、上蓋４６とケース本体４５との間をシール、すなわち上蓋４６とケース本体４５との間から原液Ｇが外部に漏洩したりケース本体４５と上蓋４６との間から外部の空気がフィルタケース４の内部に流入したりするのを防止するための固定用シールである開口用ガスケット５８が装着されている。この開口用ガスケット５８は、図８（ａ）に示すように、外筒部５９と、内筒部６０と、外筒部５９の上部と内筒部６０の上部とを連結する連結部６１とにより断面下向きコ字状をなす下方に開口する有底２重筒状に形成されており、その開口部分がケース本体４５の開口端に装着されるようになっている。そして、開口用ガスケット５８の上面である連結部６１の上面は、上蓋４６に密接される平坦なシール面６２とされている。このシール面６２としては、平坦面であってもよいが、図８（ｂ）に示すように、径方向外側が上方に凸のシール面６２ａとしたり、図８（ｃ）に示すように、内外方向の中間部分を凹とするシール面６２ｂとしたりすることができる。
【００４６】
図８（ａ）に示す平坦なシール面６２を備えた開口用ガスケット５８は、上蓋４６とケース本体４５の開口端との間をシールすることができる。
【００４７】
図８（ｂ）に示すシール面６２ｂの径方向外側を上方に凸に形成した開口用ガスケット５８Ａは、シール面６２ａの径方向外側における締め代（圧縮量）が径方向内側における締め代より大きくなるので、図８（ａ）に示す平坦なシール面６２を有する開口用ガスケット５８と比較して、ケース本体４５と上蓋４６との間からフィルタケース４の内部に外部の空気が流入するのを防止するのに有効である。よって、この開口用ガスケット５８Ａは、原液Ｇをフィルタケース４の内部に吸引する際のシールにより有効である。
【００４８】
図８（ｃ）に示す、シール面６２ｂの内外方向の中間部分を凹に形成した開口用ガスケット５８Ｂは、シール面６２ｂの内外方向の両側における締め代が内外方向の中間部分における締め代より大きくなるので、図８（ａ）に示す平坦なシール面６２を有する開口用ガスケット５８と比較して、ケース本体４５と上蓋４６との間からフィルタケース４の内部に外部の空気が流入したり、ケース本体４５と上蓋４６との間から原液Ｇが外部に漏洩したりするのを防止するのに有効である。よって、この開口用ガスケット５８Ｂは、原液Ｇをフィルタケース４の内部に吸引する際のシールと、原液Ｇをフィルタケース４の内部に圧送する際のシールとの両者に有効である。
【００４９】
図２および図５に示すように、本体胴部４８の下部で、本体底壁部４９の上方には本体胴部４８を貫通するように設けられた胴部下貫通孔６４が形成されている。この胴部下貫通孔６４には、管継手の一種であるブッシングなどからなる排出管６５の基端部が接合などにより取り付けられており、その先端は、本体胴部４８の外周面より径方向外側に突出されている。そして、排出管６５の径方向外側を向いた先端の開口は、後述する脱液時に発生した液分を外部に排出する排出口６６とされている。この排出口６６は、原液Ｇをフィルタケース４の内部に吸引する構成（図９参照）の場合に必要なものであり、ケース本体４５の下部あるいは底部、詳しくは、ケース本体４５の袋状フィルタ２が交換時期に到達した際の袋状フィルタ２の底部（図１０参照）より下方位置に設けられていればよい。ここで、原液Ｇをフィルタケース４の内部に圧送する構成の場合には、後述する流出口７２を排出口６６として兼用することができるので、排出口６６を個別に設ける必要はない。なお、排出管６５は、装置の仕様や設計コンセプトなどの必要に応じて設ければよい。
【００５０】
図１に示すように、本体底壁部４９の中心部には、本体底壁部４９を厚さ方向に貫通する底部貫通孔６８が形成されている。また、本体底壁部４９の下面には、底部貫通孔６８を通過した濾液Ｅを本体底壁部４９の下側で径方向外側に排出する底部排出室６９が接合などにより突設されている。この底部排出室６９は、底部貫通孔６８と、本体底壁部４９より下方位置で本体胴部４８を貫通するように設けられた胴部最下貫通孔７０とを連通するように形成されており、胴部最下貫通孔７０には、管継手の一種であるブッシングなどからなる流出管７１の基端部が接合などにより取り付けられ、その先端は、本体胴部４８の外周面より径方向外側に突出されている。そして、流出管７１の径方向外側を向いた先端の開口は、濾液Ｅを外部に排出する流出口７２とされている。なお、底部排出室６９としては、エルボなどの管継手を底部貫通孔６８に螺着などにより固定する構成としてもよい。
【００５１】
前記上蓋４６は、ケース本体４５の上部開口を覆うものであり、プラスチックあるいは金属により形成されている。この上蓋４６は、図１から図３に示すように、円筒状に形成された蓋胴部７６と、この蓋胴部７６の上部開口を閉塞するようにほぼ円板状に形成された蓋天壁部７７とにより、全体として下部が開口する有底円筒状に形成されている。そして、蓋胴部７６の内孔は、ケース本体４５の上端部の外周面を取り囲むことができるように、ケース本体４５の外径寸法より大径に形成されている。
【００５２】
前記蓋天壁部７７の中心部には、蓋天壁部７７をその厚さ方向に貫通する蓋貫通孔８０が設けられている。この蓋貫通孔８０には、管継手の一種であるブッシングなどからなる流入管８１の基端部が接合などにより取り付けられており、その先端は、蓋天壁部７７の上面より上方に突出されている。そして、流入管８１の上方を向いた先端の開口は、フィルタケース４の内部に原液Ｇを流入させる流入口８２とされている。
【００５３】
前記流入管８１の蓋天壁部７７の上方に突出した上部には回転自在な回転リング８４が取り付けられており、この回転リング８４の外周面には、蓋支持棒８５の基端部が固着されている。この蓋支持棒８５は、回転リング８４の外周面から径方向外側に向かって延出された水平部８５ａと、この水平部８５ａの先端から蓋胴部７６の外周に沿って下方に延出された垂直部８５ｂとにより、全体として倒立Ｌ字状の棒状に形成されている。そして、垂直部８５ｂの中間部分は、本体胴部４８の外周面に取り付けられた蓋棒支持ブラケット８７に設けられた上下方向に延在するスライド孔８７ａに挿通されており、垂直部８５ｂの先端は、蓋棒支持ブラケット８７の下方に突出されている。
【００５４】
前記垂直部８５ｂの先端部には、平面矩形のブロック体８５ｃが割りピンなどにより着脱自在に取り付けられており、ケース本体４５に対するフィルタサポート３の着脱時において、上蓋４６をケース本体４５の上方へ移動させた際に、ブロック体８５ｃが蓋棒支持ブラケット８７に当接することで、上方への最大移動位置が規制されている。このケース本体４５に対する上蓋４６の上方への移動量は、蓋胴部７６の軸線方向の長さ寸法より大きくされており、スライド孔８７ａに蓋支持棒８５の垂直部８５ｂを挿入した状態で、上蓋４６をスライド孔８７ａを中心として回転させることにより、ケース本体４５の上部開口を外部に露出させることができるとともに、この状態で、上蓋４６を下降させることにより、ブロック体８５ｃがケーススタンド５の上面に当接して上蓋４６を保持することができるようになっている。これにより、フィルタケース４に対するフィルタサポート３の着脱時に、ケース本体４５から外した上蓋４６を作業者が容易に視認することができるし、上蓋４６がケース本体４５から離間することがないので、作業性を向上、すなわち作業者による使い勝手の向上を図ることができる。
【００５５】
前記蓋天壁部７７の上面の径方向外側には、蓋天壁部７７を厚さ方向に貫通する供給用貫通孔８９が設けられている。この供給用貫通孔８９には、管継手の一種であるソケットなどからなる供給管９０の基端部が接合などにより取り付けられており、その先端は、蓋天壁部７７の上面より上方に突出されている。そして、供給管９０の上方を向いた先端の開口は、脱液時に、フィルタケース４の内部に圧縮空気などの脱液用気体Ｄ（図９参照）を供給する供給口９１とされている。なお、供給管９０は、排出管６５と同様に、装置の仕様や設計コンセプトなどの必要に応じて設ければよい。
【００５６】
前記蓋天壁部７７の径方向外側の供給管９０と干渉しない位置には、２つの蓋グリップ９３がその先端を上方に向けて取り付けられている。これらの蓋グリップ９３は、ケース本体４５に対する上蓋４６の着脱時に、作業者が把持して操作するためのものである。また、２つの蓋グリップ９３は、蓋天壁部７７の軸線を中心として対向配置されている。さらに各蓋グリップ９３は、基端部が蓋天壁部７７に取り付けられるグリップロッド９３ａと、その先端部に螺着された握り玉９３ｂとを有している。なお、説明の便宜上、図１および図２には、供給管９０およびグリップロッド９３ａの位置を実際の位置とは異なる位置に示しており、図３に供給管９０およびグリップロッド９３ａの実際の位置を示している。
【００５７】
前記蓋天壁部７７の下面には、ケース本体４５の上部開口端と上蓋４６との間、すなわち開口用ガスケット５８の配設位置に向かって原液Ｇが流動するのを防止するための円筒状に形成された内壁９５が設けられている。この内壁９５の図１の上下方向に示す長さ寸法は、その先端がガイド基板２４の上面に接触しないように、蓋胴部７６の長さより短く形成されている。また、内壁９５の外径寸法は、開口リング部２７の内径寸法より小径に形成されており、内壁９５の下端は、開口リング部２７の下端面より下方に突出されている。
【００５８】
前記蓋胴部７６の外周面には、本体胴部４８に配設された３つの係止ピン５６（図１および図２において２つのみ図示）のそれぞれが挿入可能な３つの係止溝９７（図１および図２において２つのみ図示）が形成されている。これらの係止溝９７は、蓋胴部７６の中心から等距離位置において隣位する２つの係止溝９７の距離が等しくなるように等角度配置されている。また、３つの係止溝９７のそれぞれは、蓋胴部７６の下端面から上方に向かって形成された係止ピン５６が挿入可能な内外を径方向に貫通する第１挿入溝９７ａと、この第１挿入溝９７ａの天部から蓋胴部７６の周方向に沿って形成された係止ピン５６が挿入可能な内外を径方向に貫通する第２挿入溝９７ｂとを有している。この第２挿入溝９７ｂは、第１挿入溝９７ａから離間した先端に向かって上方に傾斜するように形成されている。そして、上蓋４６の係止ピン５６を第１挿入溝９７ａに挿入した後、上蓋４６を周方向に回して係止ピン５６を第２挿入溝９７ｂの先端に向かって挿入することにより、蓋天壁部７７の下面と、これに対向する本体胴部４８の上端面とが接近するようになっており、開口用ガスケット５８の連結部６１を上下方向に圧縮した状態で上蓋４６がケース本体４５に着脱自在に取り付けられている。
【００５９】
図２および図３に示すように、蓋胴部７６の外周面には、２つで１組とされたラッチ錠１００の一方、例えば枠体１００ａが取り付けられており、本体胴部４８の外周面の上部には、ラッチ錠１００の他方、例えば枠体１００ａの内部に先端が出入りするように操作可能なノブの突設されたラッチを具備するラッチ本体１００ｂが取り付けられている。このラッチ錠１００は、ケース本体４５に取り付けた上蓋４６の回り止めとしても機能するもので、係止ピン５６を係止溝９７の第２挿入溝９７ｂの先端部に挿入した状態でラッチを枠体１００ａに押し込むように操作することで、ケース本体４５と上蓋４６との係止状態を保持できるようになっている。勿論、ケース本体４５から上蓋４６を外すときには、ラッチ錠１００のラッチを枠体１００ａから引き抜く操作を行うことになる。
【００６０】
前記ケーススタンド５は、フィルタケース４を上下動可能に支持するものであり、図１および図２に示すように、スタンド本体１０１と、スタンド脚部１０２と、ばね部材１０３とを有している。
【００６１】
前記スタンド本体１０１は、ケース本体４５より大径の筒状に形成され、フィルタケース４が上方から挿入され、ケース本体４５の少なくとも上下方向の中間部分より下方部分が内側に配置されるものであり、プラスチックあるいは金属により形成されている。このスタンド本体１０１は、ケーススタンド５にフィルタケース４を取り付けたケース取付状態において、ケース本体４５の上下方向の中間部分の外側に配置された筒状の上筒状体１０５およびその下方に配置された筒状の下筒状体１０６を有している。
【００６２】
前記上筒状体１０５の上端には、径方向外側に向かって延在する環状の上フランジ部１０５ａが設けられており、上フランジ部１０５ａの上面、すなわちケーススタンド５の上面には、リニアガイドとして、図３に示す３つのガイドロッド１０８（図１に１つのみ図示）の基端部がねじ止めなどにより取り付けられている。これらのガイドロッド１０８は、それぞれの長さ方向を上下方向に向けるとともに、その先端を上方に向けて突出するように配置されている。さらに、３つのガイドロッド１０８は、スタンド本体１０１の軸線から等距離位置において隣位する２つのガイドロッド１０８の中心間距離が等しくなるように等角度配置されている。また、ガイドロッド１０８は、基端部がケース本体４５の外周面の上方に接合などにより取り付けられたスライダとしてのガイド受け１０９の先端側に設けられたロッド嵌合孔１０９ａに嵌合されており、ケース取付状態において、ガイド受け１０９がガイドロッド１０８の軸線方向に沿って、すなわちフィルタケース４が上下方向に沿って移動可能に形成されている。そして、ガイドロッド１０８およびガイド受け１０９により、本実施形態のフィルタケース４の移動を上下方向に規制するための移動経路規制部材１１１が構成されている。なお、移動経路規制部材１１１は、フィルタケース４が周方向に回転するのを防止する回り止めとしても機能する。また、移動経路規制部材１１１としては、フィルタケース４の移動方向を上下方向に案内するものであればよく、例えばガイド溝とこのガイド溝に嵌合するガイド片とにより構成することができる。また、ガイドロッド１０８の数は、設計コンセプトなどの必要に応じて選択することができる。
【００６３】
前記スタンド脚部１０２は、スタンド本体１０１を支持するものであり、３つの支持フレーム１１３を有している。これらの支持フレーム１１３は、上筒状体１０５と下筒状体１０６とを予め設定された所定の間隔をもって接続するものでもあり、プラスチックあるいは金属により形成されている。図５に詳示するように、本実施形態の支持フレーム１１３は、その断面が三角形の２辺をなすように形成されている。そして、各支持フレーム１１３は、その上端部分が上筒状体１０５の外周面に接合などにより取り付けられており、各支持フレーム１１３の長さ方向のほぼ中間部分が下筒状体１０６の外周部分に接合などにより取り付けられている。また、各支持フレーム１１３は、その頂部が径方向外側を向くように、長さ方向に対して直交する幅方向の２つの自由端部がスタンド本体１０１に接合などにより取り付けられている。なお、各支持フレーム１１３は、スタンド本体１０１の軸線から等距離位置において隣位する２つの支持フレーム１１３の中心間距離が等しくなるように等角度配置されている。また、各支持フレーム１１３の下端には、設置対象箇所との取り付けに用いる設置用取付孔１１４ａを有する平板状の設置板１１４が取り付けられている。なお、支持フレーム１１３の数としては、４以上としてもよい。
【００６４】
前記ばね部材１０３は、フィルタケース４の重量変化によって、ケーススタンド５に対してフィルタケース４を変位、すなわちケーススタンド５に対するフィルタケース４の上下方向の位置を変化させるものである。本実施形態のばね部材１０３は、各支持フレーム１１３の内側に、その長さ方向を上下方向に向けて配置された引張りコイルばね１０３ａが用いられている。この引張りコイルばね１０３ａの一端である下端のフックは、下ばね受け体としての本体底壁部４９より下方に位置する本体胴部４８の下端部近傍に軸方向を水平して取り付けられた棒状のばねポスト１１５に係止されてケース本体４５に接続されている。また、引張りコイルばね１０３ａの他端である上端のフックは、上ばね受け体としてのスタンド脚部１０２を構成する支持フレーム１１３のケース本体４５の下部より上方に位置する部分、本実施形態においては支持フレーム１１３の長さ方向のほぼ中間部分に軸方向を水平にして取り付けられた棒状のばね掛け棒１１６に係止されてスタンド脚部１０２に接続されている（図１）。なお、ケーススタンド５としては、各種の形状を用いることができ、本実施形態の形状に限定されるものではない。
【００６５】
前記交換表示器６は、ケーススタンド５に対するフィルタケース４の上下方向の位置に基づいて袋状フィルタ２の交換時期を表示するものである。本実施形態の交換表示器６としては、図２に示すように、上フランジ部１０５ａの上面に基端部が接合やねじ止めなどにより取り付けられた指針１１８ａと、ケース本体４５の外周面に取り付けられ、袋状フィルタ２の内部に捕捉されて残留する加工粉Ｋの量が満杯状態に到達し交換時期となったことを示す目盛１１８ｂとを具備するインジケータ１１８が用いられている。また、目盛１１８ｂは、本体胴部４８の外周面に貼着するなどして設けられたラベルに形成されている。この目盛１１８ｂは、上下方向の上側に設けられた「満」の文字が添えられた水平線状の目盛１１８ｂａと、上下方向の下側に設けられた「空」の文字が添えられた水平線状の目盛１１８ｂｂとを備えている。また、ラベルは、その取付位置を上下方向に変更できる構成としてもよい。なお、目盛１１８ｂとしては、指針１１８ａの移動方向に長い幅広線状の図示しない「満」を表示する目盛のみを設ける構成とし、この目盛の範囲を指針１１８ａの先端が指し示した時に、袋状フィルタ２の交換を行うようにしてもよい。
【００６６】
ここで、「満」は、袋状フィルタ２の内部に、袋状フィルタ２に捕捉されて残留する加工粉Ｋの量が満杯になって交換時期がきたことを示している。つまり、袋状フィルタ２により捕捉されて袋状フィルタ２の内部に存在する加工粉Ｋの量が増加するにともなって、フィルタケース４の重量が増加して引張りコイルばね１０３ａが伸長することにより、フィルタケース４の位置が下降することで、指針１１８ａの先端は、「空」の目盛１１８ｂｂを指し示す位置から「満」の目盛１１８ｂａを指し示す位置に向かって移動する。
【００６７】
勿論、指針１１８ａの先端が「空」の目盛１１８ｂｂを指し示すのは、引張りコイルばね１０３ａが伸長しない、あるいはごくわずか伸長した袋状フィルタ２が未使用あるいは使用初期の場合である。
【００６８】
なお、後述するポンプ１２１により原液Ｇをフィルタケース４の内部に吸引する構成の場合には、ポンプ１２１の駆動・停止に係わらずフィルタケース４の内部における液面がほぼ一定になる。すなわちポンプ１２１の駆動・停止に係わらずフィルタケース４の重量が一定になるので、濾過の初期状態において「空」の目盛１１８ｂを指針１１８ａの先端に合わせるようにラベルを取り付けることで、「満」および「空」の目盛１１８ｂをそれぞれ１つとすることができる。勿論、引張りコイルばね１０３ａのばね荷重をフィルタケース４の移動量に合わせることが肝要である。例えば、袋状フィルタ２に捕捉される加工粉Ｋの量が満杯になった時に、フィルタケース４に接続されてフィルタケース４に荷重を加えているバルブや配管を加えたフィルタケース４の全体の重量が５Ｋｇ増加して、フィルタケース４が７０ｍｍ程度下降し、指針１１８ａの先端が「満」の目盛１１８ｂａを指し示すように構成されている。
【００６９】
また、目盛１１８ｂとしては、濾過装置１に原液Ｇが供給されていない濾過の停止状態における「満」および「空」を表示するもの、すなわち、袋状フィルタ２により捕捉されて袋状フィルタ２の内部に残留する加工粉Ｋの量を表示するものと、濾過装置１に原液Ｇが供給されている濾過状態において「満」および「空」を表示するもの、すなわち、濾過装置１の内部に存在する原液Ｇの量に加えて袋状フィルタ２により捕捉されて袋状フィルタ２の内部に残留する加工粉Ｋの量を表示するものとの両者を表示するものとしてもよい。この場合、ポンプ１２１の駆動状態と、停止状態によりフィルタケース４の内部における液面が変化する構成、例えばポンプ１２１により原液Ｇをフィルタケース４の内部に圧送する場合であっても、袋状フィルタ２の交換時期を、濾過の停止状態および濾過状態のどちらでも表示することができる。
【００７０】
なお、本実施形態の濾過装置１は、すべての部品をプラスチックで形成したり、金属で形成したり、プラスチックと金属とを組合せて形成することができる。勿論、フィルタケース４を金属で形成することにより、フィルタケース４をプラスチックで形成した場合に比較して耐圧性を容易に向上することができる。また、図１から図８において、要部についてのみ符号を付してあるとともに、複数の同じ部分品については一部にのみ符号を付してある。
【００７１】
ここで、本実施形態の濾過装置１の設置例について図９により説明する。
【００７２】
図９に示すように、本実施形態の濾過装置１の設置状態においては、濾過装置１に対してクーラントタンク１２０に貯留された原液Ｇがポンプ１２１により供給できるようになっている。このクーラントタンク１２０は、濾過対象液としての工作機械に供給するクーラントである原液Ｇを濾過した後の濾液Ｅ（未使用のクーラントを含む）を貯留する供給液貯留部１２３と、濾過対象液としての工作機械から回収した使用後のクーラントである原液Ｇを貯留する原液貯留部１２４とを有している。
【００７３】
前記濾過装置１の流入管８１には、流入用バルブ１２６が直接あるいは図示しないジョイントを介して接続されており、この流入用バルブ１２６には、原液供給用配管１２７の一部を構成するホースなどの可撓性を具備する第１吸引管１２７ａの一端が直接あるいは図示しないジョイントを介して接続されている。この第１吸引管１２７ａの他端には、原液供給用配管１２７の他部を構成するパイプなどにより形成された第２吸引管１２７ｂの一端が図示しないジョイントを介して接続されており、第２吸引管１２７ｂの他端は、濾過状態において原液Ｇの液面下となるように、原液貯留部１２４の底面近傍に配置されている。なお、第２吸引管１２７ｂの他端にストレーナを配置する構成としてもよい。
【００７４】
前記濾過装置１の供給管９０には、供給用バルブ１３０が直接あるいは図示しないジョイントを介して接続されており、この供給用バルブ１３０には、脱液用供給配管１３１の一部を構成するホースなどの可撓性を具備する第１供給管１３１ａの一端が直接あるいは図示しないジョイントを介して接続されている。この第１供給管１３１ａの他端には、脱液用供給配管１３１の他部を構成するパイプなどにより形成された第２供給管１３１ｂの一端が図示しないジョイントを介して接続されており、この第２供給管１３１ｂの他端は、図示しないジョイントを介して脱液用気体Ｄとしての圧縮空気を供給する供給源としてのエアーコンプレッサなどからなる圧縮空気供給源１３２に直接あるいは図示しないエアー配管を介して間接的に接続されている。
【００７５】
前記濾過装置１の流出管７１には、流出用バルブ１３４が直接あるいは図示しないジョイントを介して接続されており、この流出用バルブ１３４には、還流用配管１３５の一部を構成するホースなどの可撓性を具備する第１戻し管１３５ａの一端が図示しないジョイントを介して接続されている。この第１戻し管１３５ａの他端には、還流用配管１３５の他部の一部を構成するパイプなどにより形成された第２戻し管１３５ｂの一端が図示しないジョイントを介して接続されており、この第２戻し管１３５ｂの他端は、ポンプ１２１の図示しない吸込口に接続されている。また、ポンプ１２１の図示しない吐出口には、還流用配管１３５の他部の残りの部分を構成するパイプなどにより形成された吐出管１３５ｃの一端が図示しないジョイントを介して接続されており、吐出管１３５ｃの他端は、原液貯留部１２４の上方に配置されている。
【００７６】
前記濾過装置１の排出管６５には、排出用バルブ１３７が直接あるいは図示しないジョイントを介して接続されており、この排出用バルブ１３７には、排出用配管１３８の一部を構成するホースなどの可撓性を具備する第１排出管１３８ａの一端が直接あるいは図示しないジョイントを介して接続されている。この第１排出管１３８ａの他端には、排出用配管１３８の他部を構成するパイプなどにより形成された第２排出管１３８ｂの一端が図示しないジョイントを介して接続されており、この第２排出管１３８ｂの他端は、原液貯留部１２４の上方に配置されている。
【００７７】
なお、原液供給用配管１２７、脱液用供給配管１３１、還流用配管１３５、および排出用配管１３８としては、すべてをホースなどの可撓性を具備するものとしてもよい。また、第２排出管１３８ｂの他端は、図示しない排液処理装置に接続してもよい。さらに、流入用バルブ１２６、供給用バルブ１３０、流出用バルブ１３４、および排出用バルブ１３７のそれぞれは、手動弁であってもよいし、操作弁であってもよい。この操作弁としては、空気圧駆動、電気駆動などから選択することができる。
【００７８】
前記ポンプ１２１は、原液供給用配管１２７を介してフィルタケース４の内部に原液Ｇを吸引供給するものであり、本実施形態においては、フィルタケース４の内部に流入した原液Ｇおよび袋状フィルタ２を通過した濾液Ｅの共有液面を同一高さ位置に保持させることができるという意味でダイヤフラムポンプが好ましい。なお、ポンプ１２１としては、空気圧駆動、電気駆動などから選択することができる。本実施形態においては、空気圧駆動のダイヤフラムポンプが用いられている。
【００７９】
なお、濾過装置１の設置状態としては、原液供給用配管１２７の途中に液体圧送用のポンプを配置することで、フィルタケース４の内部に原液Ｇを圧送供給するように構成してもよい。したがって、本実施形態の濾過装置１は、原液Ｇの吸引供給および圧送供給のどちらにも用いることができる。このため、上蓋４６とケース本体４５との間のシールには、内外方向の中間部分を凹とするシール面６２ｂを備えた開口用ガスケット５８Ｂを用いることが好ましい。
【００８０】
つぎに、前述した構成からなる本実施形態の作用について説明する。
【００８１】
まず、本実施形態の濾過装置１による濾過動作について説明する。
【００８２】
本実施形態の濾過装置１による濾過は、流入用バルブ１２６および流出用バルブ１３４を開操作してそれぞれの流路を開放し、供給用バルブ１３０および排出用バルブ１３７を閉操作してそれぞれの流路を閉塞した閉状態でポンプ１２１を駆動することにより行う。そして、ポンプ１２１を駆動すると、クーラントタンク１２０の原液貯留部１２４に貯留された原液Ｇは、原液供給用配管１２７の第１吸引管１２７ａの先端から吸い込まれ、原液供給用配管１２７の内部を流動し、流入用バルブ１２６を介して濾過装置１の流入口８２からフィルタケース４の内部に流入する。
【００８３】
ついで、フィルタケース４の内部に流入した原液Ｇは、誘導ガイド２３のガイド筒部２５の内孔を通過して袋状フィルタ２の内部に流入する。そして、袋状フィルタ２の内部に流入した原液Ｇは、袋状フィルタ２の内部を流下しながら袋状フィルタ２の内部を内側から外側に向かって通過する。この時、原液Ｇに含まれる所定の大きさ、例えば２０μｍ以上の加工粉Ｋは、袋状フィルタ２の編み目により捕捉されることで分離され、袋状フィルタ２の内部に残留して濾塊になる。
【００８４】
ここで、袋状フィルタ２が弾性繊維によって伸縮自在に形成されているので、濾塊の堆積の進行にともなって、袋状フィルタ２は、その長さ方向に順次伸長するとともに、濾塊の堆積部分が拡径するので、原液Ｇから分離した加工粉Ｋの濾塊により袋状フィルタ２が目詰まりしてきた場合にも、袋状フィルタ２が膨張して袋状フィルタ２の編み目が拡大することにより初期の濾過機能を維持する。なお、袋状フィルタ２の最大伸長は、その下端がフィルタ受け板３９の上面により規制され、最大径は、膨張規制筒３６の内面により規制される。また、図９に示すように、フィルタケース４の内部における濾液Ｅの液面は、ポンプ１２１により吸引される原液Ｇの流量（処理量）に応じて一定の位置を保持している。勿論、袋状フィルタ２の内部に存在する原液Ｇの液面は、袋状フィルタ２の外側に存在する濾液Ｅの液面と同一高さ位置となる。この液面の位置は、ポンプ１２１を停止しても保持されることになる。
【００８５】
ついで、袋状フィルタ２を通過した濾液Ｅは、流出口７２、流出用バルブ１３４、第１戻し管１３５ａ、第２戻し管１３５ｂ、ポンプ１２１、および吐出管１３５ｃをこの順に通過して吐出管１３５ｃの先端からクーラントタンク１２０の供給液貯留部１２３に流入する。
【００８６】
一方、袋状フィルタ２により捕捉された加工粉Ｋは、袋状フィルタ２の内部において底部から順次堆積して濾塊となる。ここで、袋状フィルタ２の内部に残留する加工粉Ｋの量が増加すると、フィルタケース４の重量が増加する。このフィルタケース４の重量の増加にともない、引張りコイルばね１０３ａが伸長して、ケーススタンド５に対するフィルタケース４の上下方向の位置が図９（ａ）の下向き矢印Ｙにて示す移動方向に沿って下降する。このフィルタケース４の下降に連動して、交換表示器６の目盛１１８ｂも図９（ｂ）の下向き矢印Ｙにて示す移動方向に沿って下降する。これにより、指針１１８ａは、「空」の目盛１１８ｂｂを指し示す位置から「満」の目盛１１８ｂａを指す位置に相対移動、実際には指針１１８ａが移動するのではなく、目盛１１８ｂを備えたラベルがフィルタケース４とともに下降する。その後、図１０（ａ）に示すように、袋状フィルタ２の内部に捕捉されて残留する加工粉Ｋの量が満杯状態に到達すると、指針１１８ａは、図１０（ｂ）に示すように、「満」の目盛１１８ｂａを指し示す。これにより、作業者がインジケータ１１８の表示を視認するという簡便な方法で、袋状フィルタ２の交換時期を容易に認識することができる。
【００８７】
つぎに、本実施形態の濾過装置１における袋状フィルタ２の交換について説明する。
【００８８】
本実施形態の濾過装置１において袋状フィルタ２を交換するには、袋状フィルタ２の交換に先立って袋状フィルタ２の内部に捕捉されて残留する切り粉Ｋから液分、すなわち原液Ｇの液分を取り除く脱液が行われる。この脱液は、ポンプ１２１を停止して、流入用バルブ１２６および流出用バルブ１３４を閉操作してそれぞれの流路を閉塞し、排出用バルブ１３７を開操作してその流路を開放したうえで、供給用バルブ１３０を開操作してその流路を開放することにより行う。
【００８９】
そして、供給用バルブ１３０の流路を開放すると、圧縮空気供給源１３２から脱液用供給配管１３１に供給されて供給用バルブ１３０により流動が止められていた圧縮空気が、供給口９１を通過してフィルタケース４の内部に流入して袋状フィルタ２を通過する。その後、袋状フィルタ２を通過した圧縮空気は、排出口６６、排出用バルブ１３７および排出用配管１３８をこの順に通過して排出用配管１３８の先端から大気中に放出される。
【００９０】
ここで、圧縮空気が袋状フィルタ２を通過する際には、濾過により袋状フィルタ２の内部に残留する所定の大きさ以上の加工粉Ｋに付着している液分が圧縮空気により加工粉Ｋから取り除かれて分離され、袋状フィルタ２の外側に、脱液により発生した濾液ＤＥとして排出される。この袋状フィルタ２の外側に排出された濾液ＤＥは、その後、フィルタケース４の内部から外部に排出、本実施形態においては、排出口６６、排出用バルブ１３７および排出用配管１３８をこの順に通過して排出用配管１３８の先端から原液貯留部１２４に送られる。これにより、袋状フィルタ２の内部に残留する加工粉Ｋから原液Ｇの液分を取り除く脱液が行われる。勿論、フィルタケース４の内部に残留している濾液Ｅ（図１０参照）も、圧縮空気により、原液貯留部１２４に送られることになる。なお、脱液により発生する濾液ＤＥは、濾過による濾液Ｅと同一のものであり、袋状フィルタ２の編み目を通過する大きさの加工粉Ｋを含んでいる。また、脱液時に、袋状フィルタ２が捕捉した所定の大きさ以上の切り粉Ｋが編み目を通過しないように、圧縮空気の圧力を制御するとよい。
【００９１】
ついで、脱液が終了すると、袋状フィルタ２の交換が続いて行われる。この袋状フィルタ２の交換は、ポンプ１２１の停止状態において、供給用バルブ１３０および排出用バルブ１３７を閉操作してそれぞれの流路を閉塞することで、流入用バルブ１２６および流出用バルブ１３４に加えて、供給用バルブ１３０および排出用バルブ１３７を閉状態としたうえで行う、
【００９２】
本実施形態の濾過装置１において袋状フィルタ２を交換するには、フィルタケース４のケース本体４５からの上蓋４６の取り外し、ケース本体４５からのフィルタサポート３の取り外し、フィルタサポート３からの袋状フィルタ２の取り外し、フィルタサポート３への新たな袋状フィルタ２の取り付け、ケース本体４５へのフィルタサポート３の取り付け、ケース本体４５への上蓋４６の取り付け、をこの順に行う。
【００９３】
ケース本体４５からの上蓋４６の取り外しは、ラッチ錠１００を操作してラッチの先端部を枠体１００ａから外してケース本体４５への上蓋４６の締結状態を解除した後、上蓋４６の蓋グリップ９３を把持して、上蓋４６を、その第２挿入溝９７ｂの先端から係止ピン５６が離れる方向、本実施形態においては図３における反時計方向に回転させる。この上蓋４６の回転は第１挿入溝９７ａの側端を係止ピン５６に当接した位置で停止する。そして、上蓋４６の回転が停止したら上蓋４６を上方に移動する。そして、上蓋４６の上方への移動の途中、すなわち、上蓋４６の下端がケース本体４５の上方に到達したら、上蓋４６を１８０度程度回転させてから下方に移動する。すると、蓋支持棒８５に設けられたブロック体８５ｃがケーススタンド５の上面に当接し、ケース本体４５の上部開口が外部に露出した状態で上蓋４６がケーススタンド５の上面によって下方から支持される。これにより、上蓋４６がケーススタンド５に支持された状態が保持され、作業者の両手が自由になる。
【００９４】
ケース本体４５からのフィルタサポート３の取り外しは、中央の連結ロッド３０の上端に螺着されている袋ナット３４および外周側の６本の連結ロッド３０の上端部のそれぞれに螺着されているナット３１ｃを取り外してロッドカバー３３とともに、誘導ガイド２３を取り外してから、外部に露出した取っ手１８を起こし、この取っ手１８にロープを係止してフィルタサポート３をホイストやクレーンで吊り上げたり、取っ手１８を掴んで人力で持ち上げたりすることにより、袋状フィルタ２が装着された状態のフィルタサポート３をケース本体４５から引き抜くことにより行う。この時、加工粉Ｋが脱液されているので、袋状フィルタ２から液分が滴下して周囲にこぼれることがない。
【００９５】
フィルタサポート３からの袋状フィルタ２の取り外しと、これに続くフィルタサポート３への新たな袋状フィルタ２の袋状フィルタ２の取り付けは、フィルタサポート３を分解することで、フィルタサポート３から加工粉Ｋが満杯になった袋状フィルタ２を取り外し、その後、新たな袋状フィルタ２をフィルタサポート３に取り付けて組み立てることにより行う。
【００９６】
ケース本体４５へのフィルタサポート３の取り付け、およびケース本体４５への上蓋４６の取り付けは、ケース本体４５からのフィルタサポート３の取り外し、およびケース本体４５からの上蓋４６の取り外しと逆の動作を行う。これらの動作により袋状フィルタ２の交換が終了する。なお、加工粉Ｋで満杯になった袋状フィルタ２を備えたフィルタサポート３を、新たな袋状フィルタ２を取り付けた状態の新たなフィルタサポート３と交換するようにしてもよい、
【００９７】
上記のように、本実施形態の濾過装置１によれば、流入口８２からフィルタケース４の内部に流入した原液Ｇは、袋状フィルタ２を通過する際に、原液Ｇに含まれる所定の大きさ以上の加工粉Ｋが袋状フィルタ２の編み目により捕捉されることで分離され、袋状フィルタ２の内部に残留する。また、袋状フィルタ２により濾過された濾液Ｅは、流出口７２から流出する。
【００９８】
また、本実施形態の濾過装置１によれば、袋状フィルタ２の目詰まりの進行にともなって袋状フィルタ２が下方に伸長するとともに径方向外側に膨張するので、袋状フィルタ２の編み目が拡大して、濾過機能の低下や流量の低下を軽減することができるとともに、袋状フィルタ２の編み目が拡大した場合であっても、袋状フィルタ２の内部に堆積した加工粉Ｋの濾塊がフィルタとして機能するし、袋状フィルタ２の下部に目詰まりが生じても、袋状フィルタ２の目詰まりしていない上部側により濾過機能が保持されるので、全体として目詰まりしにくく、初期の濾過状態を長期間に亘り保持することができる。
【００９９】
したがって、本実施形態の濾過装置１によれば、安定した濾過機能を長期間に亘って発揮することができる。
【０１００】
さらに、本実施形態の濾過装置１によれば、ばね部材１０３のばね力によってフィルタケース４を上下動可能に支持するケーススタンド５と、ケーススタンド５に対するフィルタケース４の上下方向の位置に基づいて袋状フィルタ２の交換時期を表示する交換表示器６とを有しているから、ケーススタンド５は、袋状フィルタ２の内部に残留する加工粉Ｋの量が増加すると、フィルタケース４の重量が増加するので、フィルタケース４の重量の増加にともないケーススタンド５に対するフィルタケース４の上下方向の位置を下降することができる。また、交換表示器６は、袋状フィルタ２の内部に残留する加工粉Ｋの量が袋状フィルタ２の収容量の上限に到達したことをフィルタケース４の上下方向の位置に基づいて表示することができる。
【０１０１】
したがって、本実施形態の濾過装置１によれば、作業者が交換表示器６の表示を視認するという簡便な方法で、袋状フィルタ２の交換時期を容易に認識することができる。つまり、袋状フィルタ２自体を視認することなく、袋状フィルタ２の交換時期をバラツキなく容易に認識することができる。その結果、作業者による使い勝手を向上することができる。
【０１０２】
なお、本実施形態の濾過装置１によれば、従来の圧力計を配設して袋状フィルタの交換を行う濾過装置が有する問題点、すなわち、余分な機器を必要とするとともに、圧力計の値を読み取ってその値が予め設定されている交換を要する値か否かを判断したり、２つの圧力計の圧力を読み取ってその差圧を算出し、この差圧の値が予め設定されている交換を要する範囲か否かを判断したりするという面倒な作業を必要としない。
【０１０３】
また、本実施形態の濾過装置１によれば、袋状フィルタ２を視認することなく、袋状フィルタ２の交換時期をバラツキなく容易に認識することができるので、フィルタケース４を金属により形成することができる。その結果、フィルタケース４の耐圧性を容易に向上することができるから、複数の袋状フィルタ２を用いて原液Ｇの流量を大きくすることができる。つまり、原液Ｇの処理量を大きくする構成を容易に得ることができる。
【０１０４】
また、本実施形態の濾過装置１によれば、ケーススタンド５が、ケース本体４５より大径の筒状に形成されたスタンド本体１０１と、少なくとも上部がスタンド本体１０１に取り付けられたスタンド本体１０１を下方から支持する複数のスタンド脚部１０２と、その長さ方向を上下方向に向けて前記スタンド本体１０１の上面に立設されたリニアガイドとしてのガイドロッド１０８と、一端がガイドロッド１０８に沿って移動可能とされ、他端がケース本体４５の外周面に取り付けられたスライダとしてのガイド受け１０９の先端側に設けられたロッド嵌合孔１０９ａを具備する移動経路規制部材１１１とを有しており、ばね部材１０３は、一端がケース本体４５の下部に接続され他端が一端より上方においてスタンド脚部１０２に接続された引張りコイルばね１０３ａであるから、スタンド本体１０１は、その内部にフィルタケース４を配置することができ、スタンド脚部１０２は、スタンド本体１０１を下方から支持することができるとともに、フィルタケース４の下部にフィルタケース４の上下動に必要な空間を容易に設けることができる。また、ガイドロッド１０８およびガイド受け１０９のロッド嵌合孔１０９ａは、ケーススタンド５に対するフィルタケース４の移動方向を上下方向に規制することができる。さらに、引張りコイルばね１０３ａは、フィルタケース４を上下動可能に支持することができるとともに、そのばね荷重により、フィルタケース４の移動範囲とインジケータ１１８による表示範囲とを容易に関連づけることができる。したがって、フィルタケース４を容易かつ確実に上下動可能に支持することができるとともに、ケーススタンド５に対するフィルタケース４の上下方向の位置に基づいて袋状フィルタ２の交換時期を容易に表示することができる。
【０１０５】
さらに、本実施形態の濾過装置１によれば、交換表示器６が、ケーススタンド５に設けられた指針１１８ａと、フィルタケース４に設けられた袋状フィルタ２の内部に捕捉されて残留する加工粉Ｋの量が満杯状態に到達し交換時期となったことを示す目盛１１８ｂとを具備するインジケータ１１８であるから、インジケータ１１８の指針１１８ａが指示する目盛１１８ｂを読むという簡便な動作により袋状フィルタ２の交換時期を確実かつ容易に認識することができる。
【０１０６】
さらにまた、本実施形態濾過装置１によれば、開口用ガスケット５８は、下方に開口する有底２重筒状に形成されており、その開口部分がケース本体４５の開口端に装着されているとともに、その上面が上蓋４６に密接されるシール面６２とされており、さらにシール面６２は、平坦、あるいは径方向外側が上方に凸、あるいは内外方向の中間部分が凹に形成されているから、径方向外側が上方に凸のシール面６２ａを備えた開口用ガスケット５８Ａは、原液Ｇをフィルタケース４の内部に吸引する際のシール性を向上できるし、内外方向の中間部分が凹に形成されているシール面６２ｂを備えた開口用ガスケット５８Ｂは、原液Ｇをフィルタケース４の内部に吸引あるいは圧送する際のシール性の両者を向上できる。
【０１０７】
また、本実施形態の濾過装置１によれば、流入口８２が上蓋４６に形成されているので、袋状フィルタ２の内部に原液Ｇを円滑かつ確実に流入させることができる。
【０１０８】
またさらに、本実施形態の濾過装置１によれば、流出口７２がケース本体４５の本体底壁部４９より下方に配置されているので、袋状フィルタ２を通過した濾液Ｅを外部に円滑かつ確実に流出させることができる。
【０１０９】
さらにまた、本実施形態の濾過装置１によれば、上蓋４６には、袋状フィルタ２の内部に捕捉されて残留する加工粉Ｋから液分を取り除く脱液を行う脱液用気体Ｄとしての圧縮空気を供給する供給口９１が設けられており、ケース本体４５の下部あるいは底部には、袋状フィルタ２の内部に捕捉されて残留する加工粉Ｋから取り除いた液分をフィルタケース４の外部に排出する排出口６６が設けられているから、供給口９１から圧縮空気をフィルタケース４の内部に供給するという簡便な方法で、袋状フィルタ２の内部に捕捉されて残留する加工粉Ｋから液分を容易に取り除くことができる。その結果、袋状フィルタ２の交換時に、袋状フィルタ２から液分が滴下して周囲にこぼれるのを防止することができ、作業者による使い勝手の向上を図ることができる。
【０１１０】
（第２実施形態）
図１１および図１２は、本発明に係る濾過装置の第２実施形態を示すものである。本実施形態の濾過装置は、ケーススタンドおよび交換表示器の変形例を示している。
【０１１１】
すなわち、本実施形態の濾過装置１５０のケーススタンド１５４は、前述した第１実施形態におけるケーススタンド５と同様に、スタンド本体１６１と、スタンド脚部１６２と、ばね部材１０３とを有している。
【０１１２】
前記スタンド本体１６１は、本体胴部４８の外周面に取り付けられるものであり、プラスチックあるいは金属により、下部が開口する有底円筒状に形成された複数、例えば３つの本体側筒体１６５を有している。これらの本体側筒体１６５は、その長手方向を上下方向に向けて配置されており、その上部が本体胴部４８の外周面に接合などにより取り付けられ、その下部は、本体胴部４８の下端より下方に配置されている。
【０１１３】
前記スタンド脚部１６２は、本体側筒体１６５の開口に挿入されるものであり、プラスチックあるいは金属により、上部が開口する有底円筒状に形成された本体側筒体１６５と同一数の支持側筒体１６６を有している。これらの支持側筒体１６６の下端には、設置対象箇所との取り付けに用いる設置板１１４がその厚さ方向を上下方向に向けて取り付けられている。また、支持側筒体１６６の外径は、本体側筒体１６５の内径より小径に形成されている。そして、各支持側筒体１６６の内孔のそれぞれに、本体側筒体１６５の下部が上方から挿入されており、フィルタケースが周方向に回転するのを防止している。また、各支持側筒体１６６の内孔のそれぞれに、本体側筒体１６５の上部を挿入することにより、フィルタケース４の移動を上下方向に規制できるようになっている。すなわち、本実施形態の各支持側筒体１６６の内孔のそれぞれに、本体側筒体１６５の上部を挿入する構成は、フィルタケース４が周方向に回転するのを防止する回り止め機能と、フィルタケース４の移動を上下方向に規制する移動経路規制部材１１１としての機能を備えている。
【０１１４】
前記ばね部材１０３は、フィルタケース４の重量変化によって、スタンド脚部１６２に対してスタンド本体１６１とともに、フィルタケース４を変位、すなわちスタンド脚部１６２に対するフィルタケース４の上下方向の位置を変化させるものである。本実施形態のばね部材１０３は、支持側筒体１６６の内部に、その長さ方向を上下方向に向けて配置された圧縮コイルばね１０３ｂが用いられている。この圧縮コイルばね１０３ｂの上端は、本体側筒体１６５の天壁に当接されており、下端は、支持側筒体１６６の底壁に当接されている。
【０１１５】
本実施形態の交換表示器１５６は、袋状フィルタ２の交換時期が到達したときのフィルタケース４の位置を検出する検知器としてのリミットスイッチ１５６ａと、このリミットスイッチ１５６ａが接続されリミットスイッチ１５６ａからの信号により駆動される表示装置としての表示灯１５６ｂとを有している。そして、リミットスイッチ１５６ａは、そのヘッド部を本体底壁部４９と対向するようにして設置板１１４のいずれか１つに配設されており、袋状フィルタ２により捕捉されて袋状フィルタ２の内部に存在する加工粉Ｋの量が増加するのにともなって、フィルタケース４４の重量が増加して圧縮コイルばね１０３ｂが収縮することにより、フィルタケース４４の位置が下降し、袋状フィルタ２の内部に捕捉されて残留する加工粉Ｋの量が満杯状態に到達すると、図１２に示すように、本体底壁部４９がリミットスイッチ１５６ａのヘッド部を作動させて、リミットスイッチ１５６ａをスイッチング動作させ、その信号に基づいて表示灯１５６ｂを作動させるように形成されている。なお、検出器としては、近接スイッチ、光センサなどの各種のものを用いることができる。また、表示装置としては、視覚を刺激する回転灯、聴覚を刺激するブザーなどの各種の警報器を単独もしくは組み合わせて用いることができる。
【０１１６】
なお、交換表示器１５６としては、袋状フィルタ２の内部に捕捉されて残留する加工粉Ｋの量が満杯状態に到達したときのフィルタケース４の上下方向の位置を表示できるものであればよい。例えば、支持側筒体１６６の外周面の予め設定された高さ位置に、袋状フィルタ２の内部に捕捉されて残留する加工粉Ｋの量が満杯状態に到達したことを示す視認性のよい目印、例えば赤テープを周方向に貼着し、フィルタケース４とともに上下動する本体側筒体１６５の下端が目印の位置に到達したときに、袋状フィルタ２の交換時期が来たことを表示するようにできる。この場合、目印および本体側筒体１６５の下端は、前述した第１実施形態の交換表示器における、「満」の目盛１１８ｂａおよび指針１１８ａとして機能する。
【０１１７】
その他の構成については、前述した第１実施形態の濾過装置１と同様とされているので、図面中の要部に同一の符号を付し、その詳しい説明については省略する。また、複数の同じ部分品については一部にのみ符号を付してある。
【０１１８】
このような構成からなる本実施形態の濾過装置１５０によれば、前述した第１実施形態の濾過装置１５０と同様の効果を奏することができる。
【０１１９】
（第３実施形態）
図１３は、本発明に係る濾過装置の第３実施形態を示すものである。本実施形態の濾過装置は、フィルタケースの内部において、原液が袋状フィルタに流入する前に、原液に含まれる加工粉を凝集するようにしたものである。
【０１２０】
すなわち、本実施形態の濾過装置１７０は、前述した第１実施形態の濾過装置１と同様に、袋状フィルタ２と、フィルタサポート３と、フィルタケース１７４と、ケーススタンド５と、交換表示器６とを有している。
【０１２１】
前記フィルタケース１７４の一部を構成するケース本体１８１の底部貫通孔６８には、管継手の一種であるソケットなどからなる流入管１８２の長さ方向の中央部分が接合などにより取り付けられており、その下端は本体底壁部４９の下方に突出されている。また、流入管１８２の上端は本体底壁部４９の上方に突出されている。そして、流入管１８２の下方を向いた下端の開口は、原液Ｇをフィルタケースの内部に流入させる流入口８２とされている。なお、流入管１８２を９０度折り曲げた形状とすることにより、流入口８２が径方向外側を向くように配置することができる。また、本体底壁部４９の下側で径方向外側には、底部排出室１８４が接合などにより突設されている。この底部排出室１８４は、本体底壁部４９の下面の軸心より径方向外側に設けられた底部外側貫通孔１８５と胴部最下貫通孔７０とを連通するように形成されており、胴部最下貫通孔７０には、管継手の一種であるブッシングなどからなる流出管７１の基端部が接合などによりが取り付けられている。また、流出管７１の先端は、本体胴部４８の外周面より径方向外側に突出されている。そして、流出管７１の径方向外側を向いた先端の開口は、濾液Ｅを外部に排出する流出口７２とされている。
【０１２２】
前記流入管１８２の内孔の上端部には、円筒状に形成された内部配管１８７の下端部が螺合などにより着脱自在に取り付けられている。この内部配管１８７は、流入口８２を介してフィルタケース１７４の内部に供給した原液Ｇを袋状フィルタ２の開口より上方位置に誘導するものであり、各膨張規制筒３６の内側を結ぶ仮想円の直径寸法より小径に形成された大径筒部１８７ａと、この大径筒部１８７ａ本体の下端部に大径筒部１８７ａの直径寸法より小径とされるとともに、その外周面に流入管１８２の内孔に螺着されるねじ部が形成された小径筒部１８７ｂとを有している。また、内部配管１８７の長さ寸法は、その上端部がフィルタ取付板８の上面より上方位置に配置されるように設定されている。
【０１２３】
前記内部配管１８７の内部には、少なくとも軸方向の両端に図示しない複数の開口が形成された円筒状のカートリッジ１９０が止め輪１９１などにより着脱自在に取り付けられている。このカートリッジ１９０の外径寸法は、内部配管１８７の内径寸法より若干小径とされている。このカートリッジ１９０の内部には、原液Ｇに含まれる加工粉Ｋを凝集する凝集補助剤１９３が収容されている。
【０１２４】
前記凝集補助剤１９３は、マグネシウムを主成分としており、少なくとも塩基性硫酸マグネシウムおよび水酸化マグネシウムを含むものが好ましい。具体的には、リキッドコンサンド株式会社製ＳＡフィルタに用いられている吸着剤を挙げることができる。また、凝集補助剤１９３としては、原液Ｇの流動性を阻害しないサイズの粒状であることが好ましい。
【０１２５】
なお、フィルタサポート３のフィルタ取付板８、誘導ガイド２３およびフィルタ受け板３９のそれぞれの軸心部には、連結ロッド３０の代わりに、内部配管１８７に挿入される装着孔１９５が形成されている。勿論、ロッドカバー３３は、設けられておらず、フィルタ取付板８、誘導ガイド２３およびフィルタ受け板３９は、それぞれを外周側で連結する６本の連結ロッド３０（図４参照）により一体に組み付けられている。また、フィルタ取付板８の装着孔１９５と内部配管１８７の外周面との間、および流入管１８２の上端と内部配管１８７の外周面には、それぞれＯリングなどのガスケット１９６が配置されており、原液Ｇと濾液が混ざるのを防止している。さらに、上蓋１９８には、流入管８１は設けられていいない。さらにまた、上蓋１９８の供給管９０およびケース本体１８１の排出管６５は設けない構成とすることもできる。
【０１２６】
その他の構成については、前述した第１実施形態の濾過装置１と同様とされているので、図面中の要部に同一の符号を付し、その詳しい説明については省略する。
【０１２７】
このような構成からなる本実施形態の濾過装置１７０によれば、ポンプ１２１の駆動により、クーラントタンク１２０の原液貯留部１２４から流入口８２を介してフィルタケース１７４の内部に吸引された原液Ｇは、内部配管１８７の内部を下方から上方に向かって通過して内部配管１８７の上端から溢れる。この時、原液Ｇに含まれる加工粉Ｋは、内部配管１８７の内部に設置されたカートリッジ１９０を通過する際に、カートリッジ１９０に収容された凝集補助剤１９３の隙間を通過することで、凝集補助剤１９３の作用により、加工粉Ｋが凝集、すなわち原液Ｇに含まれる単独では袋状フィルタ２により捕捉できないサイズを含む加工粉Ｋが寄り集まって大きな塊になる。そして、内部配管１８７の上端から溢れた原液Ｇは、誘導ガイド２３の上面を流動してガイド筒部２５の内部を通過して袋状フィルタ２の内部に流入する。そして、袋状フィルタ２の内部に流入した原液Ｇは、袋状フィルタ２の内部を流下しながら袋状フィルタ２の内部を内側から外側に向かって通過する。この時、原液Ｇに含まれる加工粉Ｋの大きな塊は、袋状フィルタ２の編み目により捕捉されることで分離され、袋状フィルタ２の内部に残留して濾塊になる。また、袋状フィルタ２を通過した濾液Ｅは、流出口７２を通過してクーラントタンク１２０の供給液貯留部１２３に流入する。
【０１２８】
したがって、本実施形態の濾過装置１７０によれば、前述した第１実施形態の濾過装置１と同様の効果を奏することができるとともに、凝集補助剤１９３の作用により、加工粉Ｋを凝集、すなわち原液Ｇに含まれる単独では袋状フィルタ２により捕捉できないサイズを含む加工粉Ｋを寄せ集めて大きな塊にしてから袋状フィルタ２による濾過に供するので、袋状フィルタ２による濾過効率を向上することができるとともに、濾液の浄化度合いを高くすることができる。
【０１２９】
なお、本発明は、前述した各実施形態に限定されるものではなく、必要に応じて種々の変更が可能である。
【符号の説明】
【０１３０】
１、１５０、１７０  濾過装置
２  袋状フィルタ
３  フィルタサポート
４、１７４  フィルタケース
５、１５４  ケーススタンド
６、１５６  交換表示器
７  取付リング
８  フィルタ取付板
１０  筒状基体
１１  鍔部
１５  嵌合孔
１６  鍔支持面
３６  膨張規制筒
３９  フィルタ受け板
４５、１８１  ケース本体
４６、１９８  上蓋
５６  係止ピン
５８、５８Ａ、５８Ｂ  開口用ガスケット
５９  外筒部
６０  内筒部
６１  連結部
６２、６２ａ、６２ｂ  シール面
６５  排出管
６６  排出口
７１  流出管
７２  流出口
８１、１８２  流入管
８２  流入口
９０  供給管
９１  供給口
９７  係止溝
９７ａ  第１挿入溝
９７ｂ  第２挿入溝
１０１、１６１  スタンド本体
１０２、１６２  スタンド脚部
１０３  ばね部材
１０３ａ  引張りコイルばね
１０８  ガイドロッド
１０９  ガイド受け
１０９ａ  ロッド嵌合孔
１１１  移動経路規制部材
１１３  支持フレーム
１１５  ばねポスト
１１６  ばね掛け棒
１１８  インジケータ
１１８ａ  指針
１１８ｂ  目盛
１１８ｂａ  （満の）目盛
１１８ｂｂ  （空の）目盛
１５６ａ  リミットスイッチ
１５６ｂ  表示灯
１８７  内部配管
１９０  カートリッジ
１９３  凝集補助剤
Ｅ  濾液
ＤＥ  （脱液による液分である）濾液
Ｇ  原液
Ｋ  加工粉
Ｄ  脱液用気体
Ｙ  （フィルタケースの）移動方向
【図１】
2014100683.tif 000003
【図２】
2014100683.tif 000004
【図３】
2014100683.tif 000005
【図４】
2014100683.tif 000006
【図５】
2014100683.tif 000007
【図６】
2014100683.tif 000008
【図７】
2014100683.tif 000009
【図８】
2014100683.tif 000010
【図９】
2014100683.tif 000011
【図１０】
2014100683.tif 000012
【図１１】
2014100683.tif 000013
【図１２】
2014100683.tif 000014
【図１３】
2014100683.tif 000015